(57)【要約】【課題】携帯無線機の小型化に伴う収容スペースの減少に対応しながら、引出式アンテナの収納時でのアンテナ保持力を十分に確保することができる携帯無線機を提供することである。【解決手段】引出式の棒状アンテナが本体に取り付けられた無線機において、棒状アンテナの先端が着磁性の材質であり、かつ本体側のアンテナ出入口に磁石を有する。また、別の構成では、引出式の棒状アンテナが本体に取り付けられた無線機において、棒状アンテナの先端が磁石であり、かつ本体側のアンテナ出入口に磁石を有し、棒状アンテナを本体に収納した際に、互いの磁石が引き合う極性となる構造を有する。【選択図】図１
2010206571.tif 000002
【特許請求の範囲】
【請求項１】
引出式アンテナを有する携帯無線機において、
前記引出式アンテナの先端が着磁性材質であり、
前記引出式アンテナを収納した際に、本体の該引出式アンテナに対向する面に磁石を設けた
ことを特徴とする携帯無線機。
【請求項２】
前記引出式アンテナの先端が磁石であり、前記本体の面の磁石と対向する面において互いに逆の極性であって引き合う
ことを特徴とする請求項１に記載の携帯無線機。
【請求項３】
前記引出式アンテナの先端の着磁性材質部分が合成樹脂材で覆われている
ことを特徴とする請求項１または２に記載の携帯無線機。
【請求項４】
前記本体の面に設けた磁石が合成樹脂材で覆われている
ことを特徴とする請求項１乃至３のうちのいずれか１項に記載の携帯無線機。
【請求項５】
前記引出式アンテナが棒状アンテナである
ことを特徴とする請求項１乃至４のうちのいずれか１項に記載の携帯無線機。
【請求項６】
前記本体の面に設けた磁石が、前記引出式アンテナが貫通する貫通孔を有するリング状または円筒状である
ことを特徴とする請求項１乃至５のうちのいずれか１項に記載の携帯無線機。
【発明の詳細な説明】
【技術分野】
【０００１】
本発明は携帯無線機に関し、特に引出式のアンテナを有する携帯無線機に関する。
【背景技術】
【０００２】
携帯電話機に代表される携帯無線機には、ホイップアンテナ、あるいはロッドアンテナと称される引出式のアンテナを有するものがある。
【０００３】
この引出式のアンテナは、携帯電話の通信用の他、携帯電話上でテレビジョン放送（ワンセグなど）を受信するための目的などでも用いられている。
【０００４】
なお、特許文献１には、引出式のアンテナを有する携帯用電話機器において、携帯用電話機器内の、アンテナ収容時にアンテナの後端が達する位置に磁気回路を設け、アンテナ収容時にはアンテナの後端が、磁気回路の磁気吸引力によって磁気回路に密着固定される発明が開示されている。
【先行技術文献】
【特許文献】
【０００５】
【特許文献１】特開２０００−６８７２５号公報
【発明の概要】
【発明が解決しようとする課題】
【０００６】
ところで、携帯無線機はユーザが携帯するものであり、その携帯時には様々な姿勢になり得る。たとえば携帯無線機は逆さにされたり、振動が加えられたりする。このような場合、従来の引出式のアンテナを有する携帯無線機では、アンテナが飛び出してしまう虞があった。
【０００７】
このため、携帯無線機ではアンテナを収納位置に保持する一定の保持力が必要である。従来、この保持力はバネによって確保されている。しかし、携帯無線機の小型化に伴いバネ自体も小型化せざるを得ず、保持力が不十分になる傾向にある。
【０００８】
特許文献１に記載の発明では、先端が携帯用電話機器の外部に突出し、後端が携帯用電話機器内に収納されるアンテナを有する携帯用電話機器において、このアンテナの後端を、携帯用電話機器内の磁気回路に磁気吸引するものである。
【０００９】
しかしながら、この特許文献１の構成では、携帯用電話機器内に磁気回路を設けるスペースが必要となり、携帯用電話機器の小型化を阻害する要因となってしまうという問題があった。
【００１０】
また、特許文献１では、アンテナの後端を携帯用電話機器内の磁気回路に磁気吸引するものであるため、アンテナ収納時であってもアンテナの先端は固定されず不安定になる虞があった。
【００１１】
本発明は上記の点にかんがみてなされたもので、携帯無線機の小型化に伴う収容スペースの減少に対応しながら、引出式アンテナの収納時でのアンテナ保持力を十分に確保することができる携帯無線機を提供することを目的とする。
【課題を解決するための手段】
【００１２】
上記課題を解決するにあたり、本発明は、引出式の棒状アンテナが本体に取り付けられた無線機において、棒状アンテナの先端が着磁性の材質であり、かつ本体側のアンテナ出入口に磁石を有する。
【００１３】
また、別の構成では、引出式の棒状アンテナが本体に取り付けられた無線機において、棒状アンテナの先端が磁石であり、かつ本体側のアンテナ出入口に磁石を有し、棒状アンテナを本体に収納した際に、互いの磁石が引き合う極性となる構造を有する。
【００１４】
また本発明は、引出式アンテナを有する携帯無線機において、前記引出式アンテナの先端が着磁性材質であり、前記引出式アンテナを収納した際に、本体の該引出式アンテナに対向する面に磁石を設けたことを特徴とする。
【００１５】
また本発明は、前記引出式アンテナの先端が磁石であり、前記本体の面の磁石と対向する面において互いに逆の極性であって引き合うことを特徴とする。
【００１６】
また本発明は、前記引出式アンテナの先端の着磁性材質部分が合成樹脂材で覆われていることを特徴とする。
【００１７】
また本発明は、前記本体の面に設けた磁石が合成樹脂材で覆われていることを特徴とする。
【００１８】
また本発明は、前記引出式アンテナが棒状アンテナであることを特徴とする。
【００１９】
また本発明は、前記本体の面に設けた磁石が、前記引出式アンテナが貫通する貫通孔を有するリング状または円筒状であることを特徴とする。
【発明の効果】
【００２０】
本発明によれば、以下のような効果を奏する。
【００２１】
本発明によれば、棒状アンテナを本体に収納した際に、着磁性の材質で出来た棒状アンテナの先端が、かつ本体側のアンテナ出入口に磁石に引き付けられ、飛び出しにくくなる。
【００２２】
また本発明の別の実施形態によれば、棒状アンテナを本体に収納した際に、棒状アンテナの先端の磁石が、本体側のアンテナ出入口にある磁石に引き付けられ、飛び出しにくくなる。
【００２３】
また本発明によれば、アンテナの先端が着磁性材質であり、この先端を携帯無線機本体の磁石に磁気吸引して固着するので、アンテナの先端がぶれずにしっかりと保持、固定することができる。
【００２４】
また本発明によれば、アンテナが収納されたときそのアンテナの後端が達する位置に従来のように磁石等の構成が必要ではないので、携帯無線機本体内のスペースを別のことに有効利用することができる。
【図面の簡単な説明】
【００２５】
【図１】本発明による携帯無線機の一実施形態の外観を示す概略正面図であり、（ａ）はアンテナを引き出した状態を示す図であり、（ｂ）はアンテナを収納した状態を示す図である。
【図２】図１に示した携帯無線機１のアンテナ引出口５の周辺を拡大して示す概略正面図である。
【図３】図２に示した実施形態とは別の実施形態を示す概略正面図である。
【発明を実施するための形態】
【００２６】
以下、本発明の実施形態について図面を参照して詳細に説明する。
【００２７】
図１は、本発明による携帯無線機の一実施形態の外観を示す概略正面図であり、（ａ）はアンテナを引き出した状態を示す図であり、（ｂ）はアンテナを収納した状態を示す図である。
【００２８】
本実施形態の携帯無線機１は、アンテナ先端部３およびアンテナ棒状部４からなる棒状アンテナ２を有して構成される。この棒状アンテナ２が携帯無線機１内に収納されたとき、棒状アンテナ２のアンテナ先端部３がアンテナ引出口５に納まる形状にされている。
【００２９】
図２は、図１に示した携帯無線機１のアンテナ引出口５の周辺を拡大して示す概略正面図である。
【００３０】
本実施形態においては、アンテナ引出口５の下部の、棒状アンテナ２を収納したときにアンテナ先端部３と接する個所には磁石６を設けている。
【００３１】
また本実施形態においては、アンテナ先端部３の材質は着磁性材料であり、棒状アンテナ２を収納したときには、アンテナ先端部３が磁石６に磁気吸引され、アンテナ先端部３と磁石６とが固着する構造になっている。
【００３２】
この図２の構造の実施形態によれば、棒状アンテナ２の収納時には、アンテナ先端部３が磁石６に磁気吸引されて飛び出しにくくなる。
【００３３】
次に、本発明の別の実施形態について説明する。
【００３４】
図３は、図２に示した実施形態とは別の実施形態を示す概略正面図である。
【００３５】
この実施形態では、アンテナ先端部３の材質を磁石にしている。アンテナ先端部３および磁石６の対向する面同士が異なる極性になるように配置し、棒状アンテナ２の収納時にアンテナ先端部３と磁石６とが磁気吸引し合うように構成している。たとえばアンテナ先端部３の面をＳ極にし、対向する磁石６の面をＮ極にしてもよいし、アンテナ先端部３の面をＮ極にし、対向する磁石６の面をＳ極にしてもよい。
【００３６】
この図３の構造の実施形態によれば、棒状アンテナ２の収納時には、アンテナ先端部３と磁石６とが互いに磁気吸引して飛び出しにくくなる。
【００３７】
なお、図２および図３の両実施形態ともに、従来のバネ力とともに磁気吸引の構成を採用すれば、バネ力での保持の他に磁力によっても力が強化されるため、保持力は強化される。
【００３８】
また、図２および図３の両実施形態ともに、上述の構成にすることによって、保持力を確保することができるので、従来用いていたバネを省く応用も考えられる。
【００３９】
ところで、携帯無線機１側の磁石６の形状は、アンテナ棒状部４が貫通する貫通孔を有するリング状、円筒状のものであってもよいし、アンテナ棒状部４が貫通する貫通孔を有さずにアンテナ棒状部４の外周のアンテナ引出口５近傍に角柱状などの磁石を配置するものであってもよい。
【００４０】
また、携帯無線機１側の磁石６は、剥き出しであってもよいし、合成樹脂等に包まれる構成であってもよく、合成樹脂等に包まれる構成としても同様の効果が得られる。
【００４１】
さらに、アンテナ先端部３の着磁性材料あるいは磁石も、剥き出しであってもよいし、合成樹脂等に包まれる構成であってもよく、合成樹脂等に包まれる構成としても同様の効果が得られる。
【００４２】
本発明の効果は、引出式アンテナの収納時の保持力を、従来バネによって確保していたものの補助手段、あるいは代替手段として保持力を確保することが可能となることである。
【産業上の利用可能性】
【００４３】
本発明は、携帯電話機や、携帯ラジオ、携帯型テレビなどの小形無線機に適用可能である。
【符号の説明】
【００４４】
１  携帯無線機
２  棒状アンテナ
３  アンテナ先端部
４  アンテナ棒状部
５  アンテナ引出口
６  磁石
【図１】
2010206571.tif 000003
【図２】
2010206571.tif 000004
【図３】
2010206571.tif 000005